(57)【要約】【課題】  本発明は、情報処理装置が盗難等された場合に装置内の情報を削除し、外部への漏洩を防止するとともに、ユーザが、削除された情報のバックアップを取ることを可能にする。【解決手段】  検出装置は、物に固定されている固定状態から、前記物に固定されていない非固定状態への変化を検出して、検出信号を生成する検出手段と、所定の情報を記憶する記憶手段と、前記検出信号を受信すると前記記憶手段から前記所定の情報を読み出し、予め登録しているアドレスへ送信して、前記所定の情報を前記記憶手段から削除する制御手段と、を備える。【選択図】      図１
2013246776.tif 000002
【特許請求の範囲】
【請求項１】
物に固定されている固定状態から、前記物に固定されていない非固定状態への変化を検出して、検出信号を生成する検出手段と、
所定の情報を記憶する記憶手段と、
前記検出信号を受信すると前記記憶手段から前記所定の情報を読み出し、予め登録しているアドレスへ送信して、前記所定の情報を前記記憶手段から削除する制御手段と、
を備えることを特徴とする検出装置。
【請求項２】
前記制御手段は、
前記所定の情報を前記アドレスへ送信した後、前記アドレスを消去することを特徴とする請求項１記載の検出装置。
【請求項３】
前記検出手段は、
前記装置に固着し、ワイヤを通すために内部が開口した固定手段と、
前記固定手段にワイヤが通っている前記固定状態から
前記固定手段にワイヤが通っていない前記非固定状態への変化を検出するセンサと、を備えることを特徴とする請求項１又は２記載の検出装置。
【請求項４】
装置が物に固定されている固定状態から、前記物に固定されていない非固定状態への変化を検出して、検出信号を生成し、
所定の情報を記憶する記憶し、
前記検出信号を受信すると前記所定の情報を読み出し、予め登録しているアドレスへ送信して、前記所定の情報を前記記憶手段から削除することを特徴とする検出方法。
【請求項５】
前記所定の情報を前記アドレスへ送信した後、前記アドレスを消去することを特徴とする請求項１記載の検出方法。
【請求項６】
前記装置に固着し、ワイヤを通すために内部が開口した固定手段にワイヤが通っている前記固定状態から
前記固定手段にワイヤが通っていない前記非固定状態への変化を検出することを特徴とする請求項４又は５記載の検出方法。
【請求項７】
コンピュータが物に固定されている固定状態から、前記物に固定されていない非固定状態への変化を検出して、検出信号を生成する検出ステップと、
所定の情報を記憶する記憶ステップと、
前記検出信号を受信すると前記記憶手段から前記所定の情報を読み出し、予め登録しているアドレスへ送信して、前記所定の情報を前記記憶手段から削除する制御ステップと、を
前記コンピュータに実行させることを特徴とする検出プログラム。
【請求項８】
前記所定の情報を前記アドレスへ送信した後、前記アドレスを消去する前記制御ステップを前記コンピュータに実行させることを特徴とする請求項７記載の検出プログラム。
【請求項９】
前記コンピュータに固着し、ワイヤを通すために内部が開口した固定手段にワイヤが通っている前記固定状態から
前記固定手段にワイヤが通っていない前記非固定状態への変化を検出する前記検出ステップを前記コンピュータに実行させることを特徴とする請求項７又は８記載の検出プログラム。
【発明の詳細な説明】
【技術分野】
【０００１】
本発明は、情報処理装置が持ち去られる恐れがある場合に、その記憶装置に記憶している情報の漏洩を防止する装置に関する。
【背景技術】
【０００２】
近年、パーソナルコンピュータに代表される情報処理装置が普及し、情報処理装置に内蔵されている記憶装置の容量も増加している。一方で、情報処理装置が盗難等にあった場合に、装置内の記憶装置に格納されているデータを保護することが難しく、また盗難等にあった装置からの不正アクセスを禁止することも困難である。
【０００３】
例えば、情報処理装置のハードディスク装置（以下、「ＨＤＤ」という）が盗難にあった場合に、ＨＤＤに記憶されている情報の漏洩を防止する技術として、下記特許文献に記載の技術が提案されている。
【０００４】
特許文献１には、パーソナルコンピュータからＨＤＤが取り外されたことを検知すると、外部からのアクセスを遮断し、ＨＤＤの記憶部に記憶されたディスクの内容を消去するモードに設定され、ディスクに記憶された情報の漏洩を防止するといった技術が開示されている。
【０００５】
また、特許文献２には、移動機の盗難に遭ったユーザが、その旨を制御機へ通知すると、制御機は各ホスト機に対し、盗難に遭った移動機からのアクセスを禁止する指示を出し、また盗難に遭った移動機からいずれかのホスト機へのアクセスがあった場合には、アクセスされたホスト機が盗難に遭った移動機内のデータの待避と削除を行うといった技術が開示されている。
【先行技術文献】
【特許文献】
【０００６】
【特許文献１】特開２００９−２５８９７９号公報
【特許文献２】特開平８−２１２１６４号公報
【発明の概要】
【発明が解決しようとする課題】
【０００７】
しかし、特許文献１には次のような課題がある。盗難が発生した際に、ＨＤＤのディスクの内容を消去することはできるが、ユーザは消去されたディスクの内容を把握することは出来ず、ディスクの内容をバックアップすることもできない。
【０００８】
また、特許文献２には次のような課題がある。ユーザは移動機が盗難にあったことに気づかないと、制御機に通知することもできない。さらに、盗難に遭った移動機側からホスト機にアクセスをしなければ移動機内のデータの待避、削除を行うことができない。
【０００９】
そこで、本発明は、上記課題を解決すべく、情報処理装置が盗難等された場合に装置内の情報を削除し、外部への漏洩を防止するとともに、ユーザが、削除された情報のバックアップを取ることを可能にすることを目的とする。
【課題を解決するための手段】
【００１０】
かかる目的を達成するため、本発明の検出装置は、物に固定されている固定状態から、前記物に固定されていない非固定状態への変化を検出して、検出信号を生成する検出手段と、
所定の情報を記憶する記憶手段と、前記検出信号を受信すると前記記憶手段から前記所定の情報を読み出し、予め登録しているアドレスへ送信して、前記所定の情報を前記記憶手段から削除する制御手段と、を備える。
【００１１】
また、本発明は、装置が物に固定されている固定状態から、前記物に固定されていない非固定状態への変化を検出して、検出信号を生成し、所定の情報を記憶する記憶し、前記検出信号を受信すると前記所定の情報を読み出し、予め登録しているアドレスへ送信して、前記所定の情報を前記記憶手段から削除することを特徴とする検出方法を提供する。
本発明は、コンピュータが物に固定されている固定状態から、前記物に固定されていない非固定状態への変化を検出して、検出信号を生成する検出ステップと、所定の情報を記憶する記憶ステップと、前記検出信号を受信すると前記記憶手段から前記所定の情報を読み出し、予め登録しているアドレスへ送信して、前記所定の情報を前記記憶手段から削除する制御ステップと、を前記コンピュータに実行させることを特徴とする検出プログラムを提供する。
【発明の効果】
【００１２】
本発明は、情報処理装置が盗難等された場合に装置内の情報を削除し外部への漏洩を防止するとともに、ユーザが、削除された情報のバックアップを取ることを可能にする。
【図面の簡単な説明】
【００１３】
【図１】本発明の第１の実施形態における検出装置１００の構成を示すブロック図である。
【図２】本発明における制御部１０３の動作手順を示すフロー図である。
【図３】第１実施形態における検出部１０１の構成図である。
【図４】ログ格納部に記録されているログの一例である。
【図５】本発明の第２の実施形態における検出装置１００の構成を示すブロック図である。
【発明を実施するための形態】
【００１４】
＜第１の実施形態＞
なお、各実施形態の検出装置等を構成する各部は、論理回路等のハードウェアで構成される。また、各部は、コンピュータの制御部、記憶装置、記憶装置のロードされたプログラム、プログラムを格納するハードディスク等の記憶ユニット等からなり、ハードウェアとソフトウェアの任意の組合せによって実現されても良い。そして、断りのない限り、その実現方法、装置は限定されない。
【００１５】
また、制御部はCPU（Central Processing Unit）などからなり、OS（Operating System）を動作させて全体を制御するとともに、例えばドライブ装置などに装着された記録媒体から記憶装置にプログラムやデータの読み出し、これに従って各種の処理を実行する。記録媒体は、光ディスク、フレキシブルディスク、磁気光ディスク、外付けハードディスク、半導体メモリ等であってコンピュータプログラムをコンピュータが読み取り可能に記録する。また、コンピュータプログラムは、通信網に接続されている図示しない外部コンピュータからダウンロードされてもよい。
【００１６】
以下、図面を参照して本発明による検出装置の実施形態を説明する。ただし、以下の実施形態に記載されている構成要素はあくまでも例示であり、本発明の技術的範囲をそれらのみに限定する趣旨のものではない。
【００１７】
図１は、本発明における検出装置１００の構成を示すブロック図である。本発明における検出装置は、検出部１０１、記憶部１０２、制御部１０３、及びログ格納部１０４から構成されている。
【００１８】
検出装置１００は、ユーザに納入され稼動している情報処理装置である。例えば、サーバ装置等である。
【００１９】
検出部１０１は、検出装置１００が物に固定されている状態（以下、「固定状態」という）から、物に固定されていない状態（以下、「非固定状態」という）への状態変化（盗難等発生）を検出すると、検出信号を生成し、制御部１０３へ送信する。
【００２０】
また、検出部１０１は、検出モードと検出停止モードのいずれかのモードに設定することができる。検出モードとは、検出装置１００の状態変化を検出し、検出信号を生成するモードである。
【００２１】
検出停止モードとは、検出装置１００の状態変化を検出しないモードのことである。以降、特に断りのない限り検出部１０１が検出モードに設定されているものとして説明する。
【００２２】
記憶部１０２は、所定の情報を記憶している。ここで所定の情報とは、システムの設定情報をはじめとするユーザの検出装置の記憶装置で記憶している情報を指す。
【００２３】
制御部１０３は、ユーザのアドレス情報を記憶している。アドレス情報とは、例えばメールアドレス等を指す。また、制御部１０３は、メール送信機能を有しており、検出部１０１から検出信号を受信すると、記憶部１０２から所定の情報を読み出し、検出装置１００の状態変化を示す情報と記憶部１０２に記憶されていた所定の情報を含んだメールをユーザのアドレスへ送信する。さらに制御部１０３は、記憶部１０２で記憶している所定の情報を削除し、検出装置１００の状態変化をログ格納部１０４に記録する。
【００２４】
ログ格納部１０４に記録する情報には、例えば、図４に示すように、検出装置１００を保有するユーザ名、ユーザコード、装置名、装置コード、検出信号受信（盗難等発生）日等が含まれる。
【００２５】
図２は、本発明における制御部１０３の動作手順を示すフロー図である。制御部１０３は、検出部１０１から検出信号を受信すると、記憶部１０２に記憶されている所定の情報の読み出しを行う（ステップＳ１）。続いて、制御部１０３は、検出装置１００の状態変化（盗難等発生）を示す情報と記憶部１０２に記憶されていた所定の情報を含んだメールをユーザに送信し（ステップＳ２）、その後、記憶部１０２で記憶している所定の情報を削除する（ステップＳ３）。
【００２６】
さらに、制御部１０３は、制御部１０３に記憶されたユーザのアドレス情報を削除し（ステップS４）、その後、ログ格納部に図４に示すようなログとして記録する（ステップＳ５）。
【００２７】
さらに、ワイヤ１０７を用いて検出装置１００の状態変化（盗難等発生）を検出する際の検出部１０１について具体的に説明する。
【００２８】
図３は、本実施形態における検出部１０１の構成図である。本実施形態における検出部１０１は、固定部１０５、センサ１０６、ワイヤ１０７、蓋１０８、バネ１０９、電極１１０からなる。
【００２９】
固定部１０５は、検出装置１００に固着し、その内部が開口している構造をとる。センサ１０６は、検出装置１００の状態変化（盗難等発生）を検出する。ワイヤ１０７は、固定部１０５の開口部分に通され、このワイヤ１０７が外部の物に固定されることで検出装置１００は固定状態を維持している。蓋１０８は、固定部１０５の開口部分に横方向に開閉可能なスライド式で取り付けられている。この蓋１０８はバネ１０９により、蓋１０８を開く状態にしても、すぐに閉じた状態に戻ろうとするように設計されている。電極１１０は、固定部１０５と蓋１０８の対抗位置に取り付けられ、固定部１０５と蓋１０８の電極が接触したことをセンサ１０６が検知すると、検出部１０１は検出信号を生成する。
【００３０】
以下に、センサ１０６で検出装置１００の状態変化（盗難等発生）を検知し、検出部１０１で検出信号を生成するまでを説明する。
【００３１】
固定部１０５からワイヤ１０７が外れると、蓋１０８はバネ１０９の作用により閉じた状態になる。蓋１０８が閉じた状態になると、固定部１０５と蓋１０８に取り付けられた電極１１０が接触し、この接触状態をセンサ１０６が検知する。
【００３２】
センサ１０６が、ワイヤ１０７が外されたことを検出すると、検出部１０１は、検出装置１００が固定状態から非固定状態に変化したと判断し、検出信号を生成し、制御部１０３に送信する。
【００３３】
なお、検出装置１００を移動の際には、制御部１０３を検出停止モードに設定し、検出装置１００の電源をオフし、固定していたワイヤを外して移動する。
【００３４】
（検出部１０１の変形例）
検出部１０１の変形例としては、以下の様なものがある。
【００３５】
（ａ）ワイヤの電気抵抗値の変化により検出装置１００の状態変化（盗難等発生）を検出する固定部１０５の開口部分にワイヤ１０７を通し、外部にある物と接続することで、検出装置１００は固定状態を維持している。第１実施形態の検出部１０１との構成の違いは、蓋１０８、バネ１０９、電極１１０を有しないことと、ワイヤ１０７内に電流が流れていることである。本変形例において、ワイヤ１０７中には電流が流れており、センサ１０６はその電気抵抗値を検知している。ワイヤ１０７が切断されると、センサ１０６はその電気抵抗値の変化を検知し、検出部１０１は検出信号を生成する。以降の動作フローは、第１実施形態と同様のため省略する。
【００３６】
（ｂ）ネジの有無により検出装置１００の状態変化（盗難等発生）を検出する固定部１０５と外部にある物とがネジで固定され、検出装置１００は固定状態を維持している。本例において、ネジ穴には接触センサが付いており、ネジが外れるとそのことをセンサ１０６が検出し、検出部１０１で検出信号を生成する。以降の動作フローは、第１実施形態と同様のため省略する。
【００３７】
（ｃ）コネクタの有無により検出装置１００の状態変化（盗難等発生）を検出する検出装置１００は、固定部１０５と外部にある物とがコネクタで接続されていることによって固定状態を維持している。本例において、コネクタが接続された状態から解除されたことをセンサ１０６が検知すると、検出部１０１は検出信号を生成する。以降の動作フローは、第１実施形態と同様のため省略する。
【００３８】
本実施形態における検出装置では、ユーザの情報処理装置が盗難等された場合に装置内の情報を削除し外部への漏洩を防止するとともに、ユーザが、削除された情報を確認し、そのバックアップを取ることを可能にする。その理由は、制御部１０３が検出部１０１から検出信号を受信すると記憶部１０２で記憶している情報をユーザにメールで送信し、さらに記憶部１０２で記憶している情報の削除を行うからである。また、検出装置１００の移動の際には、誤って検出装置１００の状態変化（盗難等発生）が検出されずに済む。その理由は、検出部１０１が検出モードのみならず、検出装置１００の状態変化を検出しなし検出停止モードをもとることができるからである。
【００３９】
＜第２の実施形態＞
図５は、本発明の第２の実施形態における検出装置１００の構成を示すブロック図である。本実施形態における検出装置１００は、検出部１０１、記憶部１０２、制御部１０３を備える。
【００４０】
検出部１０１は、検出装置１００が物に固定されている状態から、物に固定されていない非固定状態への変化を検出し、検出信号を生成する。記憶部１０２は、所定の情報を記憶している。制御部１０３は、検出部１０１から検出信号を受信すると、記憶部１０２から所定の情報を読み出し、その情報を制御部１０３に予め登録しているアドレスへ送信する。さらに、制御部１０３は記憶部１０２で記憶している所定の情報を削除する。
【００４１】
本実施形態における検出装置では、ユーザの情報処理装置が盗難等された場合に装置内の情報を削除し外部への漏洩を防止するとともに、ユーザが、削除された情報を確認し、そのバックアップを取ることを可能にする。その理由は、制御部１０３が検出部１０１から検出信号を受信すると記憶部１０２で記憶している情報をユーザへ送信し、さらに記憶部１０２で記憶している情報の削除を行うからである。
【００４２】
以上、実施形態を参照して本願発明を説明してきたが、本願発明は、上記実施形態に限定されるものではない。本願発明の構成や詳細には、本願発明のスコープ内で当業者が理解し得る様々な変更をすることができる。
【符号の説明】
【００４３】
１００  検出装置
１０１  検出部
１０２  記憶部
１０３  制御部
１０４  ログ格納部
１０５  固定部
１０６  センサ
１０７  ワイヤ
１０８  蓋
１０９  バネ
１１０  電極
【図１】
2013246776.tif 000003
【図２】
2013246776.tif 000004
【図３】
2013246776.tif 000005
【図４】
2013246776.tif 000006
【図５】
2013246776.tif 000007